(57)【要約】【課題】  簡単な構造で安全で操作性の優れたがたつきのない優れたバックルを提供する。【解決手段】  雄部材に設けられた脚部が雌部材の挿入口に挿入されて係合するバックルであって、端部に外向きに突出する係止部と係止部の外側に連結した押圧部と斜内向に突出するガイド片を設けた脚部とガイド片の間にあって係止部を係合孔に安定して案内し、同時に筒体の上下方向に圧潰するような力が作用しても内側から支えられる仕切壁を筒体の向き合う側壁の中間に上壁の内側と下壁の内側の間に亘って設けている。  バックルの挿入完了状態において仕切壁の先端部を雄部材に設けられた凹部に嵌入させてバックルの縦方向の捻れを防ぐようにした。  またバックルの差し入れされていない分離状態においてガイド片の先端部が互いに突合するように配置した。  また脚部に外側に拡開する無用な力が加えられた場合の損傷を防ぐため基部から挿入方向に突出する一対の抑止壁をアームの外側に配置した。【選択図】図７
2018029932.tif 000002
【特許請求の範囲】
【請求項１】
扁平な筒体を形成する雌部材に対して雄部材の一部を所定の方向から前記筒体に挿入することによって両者を結合するバックルであって、前記雌部材は、前記挿入方向に交差する方に対向して位置する側壁のそれぞれに形成されるガイド溝を備えた一対の係合孔を有し、前記雄部材は、前記雌部材と結合した際に、前記雌部材の筒体の側に位置する基部から挿入方向に沿って、前記雌部材に対向する方向に突出する一対の脚部と、前記脚部の前記雌部材側の先端部に、前記挿入方向に対して交差する方向の外側に突出して弾発力を持って前記係合孔に係合する一対の係止部と前記係止部の外側に連結するように形成される一対の押圧部と、前記脚部の先端部から対向する前記脚部が位置する方向に向かって斜めに突出する一対のガイド片を有し、前記脚部は前記基部に接続するアームの断面の厚さが前記雌部材との挿入方向に対して直交する方向に薄い板状であることを特徴とするバックル。
【請求項２】
バックルの挿入操作において、前記ガイド片を間に収めて前記係止部を前記係合孔に安定して案内する仕切壁を筒体の向き合う側壁の中間に上壁と下側の内側に亘って設けていることを特徴とする請求項１に記載のバックル。
【請求項３】
バックルの挿入完了状態において、前記仕切壁の先端部を前記雄部材に設けられた脚部の間に形成された凹部に嵌入させるようにしたことを特徴とする請求項１乃至２に記載のバックル。
【請求項４】
脚部が差し入れされてない分離状態において、ガイド片の先端部が互いに突合するように配置したことを特徴とする請求項１乃至３に記載のバックル。
【請求項５】
前記雄部材は前記基部から挿入方向に沿って、前記アームの外側に突出する一対の抑止壁を有し、前記抑止壁のそれぞれは前記バックルを一体とした際に、前記筒体に設けたガイド溝の間に配置していることを特徴とする請求項１乃至４に記載のバックル。
【発明の詳細な説明】
【技術分野】
【０００１】  本発明はバックル関するものである。
【背景技術】
【０００２】  従来のバックルは、例えば特開２０００−１６６６１６号公報（特許文献１）には、雄部材の各係合部が押圧（操作）し易く、弾性片が破損する恐れのないバックルを提供することを目的とし、挿入孔および係止部が設けられた中空筒形の雌部材と、鍔部の前面の両端部に、係止部に係合する係合部が先端に設けられた挿入孔へ挿入される弾性片を対向させて設けた雄部材とからなるバックルにおいて、各係合部の一端側を鍔部の前面に第１弾性片で連結するとともに、各係合部の他端側同士を第２弾性片で連結し、第１弾性片を第２弾性片よりも薄肉にする「バックル」が提案されている。【０００３】  また、特開２００４−３１３２６８号公報（特許文献２）には、サイドリリース型あるいはサイドプッシュ型のバックルにおいて、ロックアームの拡がり損傷を回避できるとともに、連結を外すための手動操作を十分に軽くできるバックルを提供することを目的とし、ソケットと、このソケットに先端側を差し込み可能かつソケットの両側を手動操作で押圧することで解除可能なプラグとを備え、プラグは基端側に形成される基部と、基部から先端側に延びる一対のロックアームと、ロックアームの中間部分に形成されてソケットの内側と係合可能な係合部と、ロックアームの中間部分に配置されて手動操作の際に押圧される押圧部とを備え、各ロックアームの中間部分を連結するブリッジを有する「バックル」が提案されている。【０００４】  また、特開平７−１００００５号公報（特許文献３）には、小型で操作性が良好であると共に結合力の大きいことを目的とし、バックルは雄部材と雌部材とで構成され、雄部材を雌部材に挿入するだけで雄部材の第１の弾性突部の第１の係止部及び第２の弾性突部の第２の係止部が雌部材の筐体の第１の係合部及び第２の係合部に結合される。また、雄部材の第１の弾性突部の外側を押圧するだけで第２の弾性突部が押圧方向と略垂直方向に協動されそれぞれの結合が解除され分離される。これにより、構造を複雑とすることなく、小型のままで、複雑な操作を必要とせず結合力を大きくすることができる「バックル」が提案されている。【０００５】  また、特開平７−１５５２０７号公報（特許文献４）には、小型で操作性が良好で、安定した結合及び円滑な結合解除を得ることを目的とし、バックルは雄部材と雌部材とで構成され、雄部材を雌部材に挿入するだけで雄部材の弾性突部の係止部及び補助係止部が雌部材の筐体の係合部及び補助係合部に結合される。そして、雄部材の弾性突部の外側を弾性突部の先端同士が協動するまで押圧すると、その押圧方向と略垂直方向で互いに反対方向に弾性変形しそれぞれの結合が外れ分離される。これにより、構造を複雑とすることなく小型のままで、複雑な操作を必要とせず安定した結合状態を得ることができるとともに円滑な結合解除が可能となる「バックル」が提案されている。
【先行技術文献】
【０００６】
【特許文献１】特開２０００−１６６６１６号公報
【特許文献１】特開２００４−３１３２６８号公報
【特許文献１】特開平７−１００００５号公報
【特許文献１】特開平７−１５５２０７号公報
【発明の概要】
【発明が解決しようとする課題】
【０００７】  いずれも差込部が差し入れされていない分離状態において不用意に脚部の外側への拡がり方向に力を加えられた場合の損傷を回避するため脚部のアーム部分の剛性を高めているため解除操作における脚部の弾性変形が妨げられ押圧部を強く押し込む必要があって操作性が良くないという課題を有している。
さらに係合孔は筒体の湾曲した側壁部に設けられたスロットから露出するように設けられているため指先で押し込みにくく指を挟みつけるなどの課題を有している。
そこで本発明はこのような従来の構成が有していた課題を解決しようとするものであって脚部の外側への拡がり損傷を回避するとともに連結を解除するための操作を軽く安全で操作性の優れたバックルを提供することを目的とする。
【課題を解決するための手段】
【０００８】  上記の課題を解決するために請求項１に記載の発明は、一対の係合孔が設けられた扁平な筒体の雌部材と基部の一端に前記雌部材に対向する方向に突出させ、弾発力を持って係合する係止部を備える一対の脚部が設けられた雄部材とからなるバックルであって前記脚部はアームの部分の断面の厚みを雌部材との結合方向に対して直交する方向に薄く板状にするとともに端部には係止部の外側に連結した押圧部を係止幅Ｈと側壁の厚さｔに０．２ミリメートルを加えた値を離隔させて外向きに、またガイド片を斜内向に突出させて設けていることを特徴とする。【０００９】  また請求項２に記載の発明はバックルの挿入操作において前記一対のガイド片の間にあって係止部を係合孔に安定して案内し、同時に扁平な筒体の上下方向に圧潰するような力が作用しても内側から支えられる仕切壁を筒体の向き合う側壁の中間に上壁の内側と下壁の内側の間に亘って設けていることを特徴とする。【００１０】  また請求項３に記載の発明は、バックルの挿入完了状態において仕切壁の先端部を雄部材に設けられた凹部に嵌入させてバックルの縦方向の捻れを防ぐようにしたことを特徴とする。【００１１】  また請求項４に記載の発明は、脚部が差し入れされていない分離状態において、ガイド片の先端部が互いに突合するように配置することで脚部の内側方向への変形量を一定にして脚部の過剰な変形破損を防ぐようにしたことを特徴とする。【００１２】  また請求項５に記載の発明は、脚部に外側に拡開する無用な力が加えられた場合の損傷を防ぐため基部から挿入方向に突出する一対の抑止壁をアームの外側に配置したことを特徴とする。
【発明の効果】
【００１３】  以上のように本発明にかかるバックルによれば脚部のアームの断面形状を薄く板状にしているので解除操作を軽くまた容易にすることができる。
また係止部の外側に連結した押圧部が外向きに突出して形成されているので係合または解除の操作において指先が挟まれるなどの問題が解決できる。
またガイド片の間にあって係止部を係合孔に安定して案内する仕切壁を設けているので操作性に優れている。
また筒体の向き合った側壁の中間に上下方向に上壁の内側と下壁の内側の間に亘って仕切壁が設けられており扁平な筒体の上下方向に圧潰するような力が加えられても内側から支えられるようにしている。
またバックルの挿入完了状態において仕切壁の先端部が雄部材に設けられた凹部に挿入され嵌合されるのでバックルの縦方向の捻れが抑制され結合の安定性が保たれる。
また雄部材の差し込みのされていない分離状態においてガイド片の先端部が互いに突合するように配置されているので脚部の内側方向への変形量を一定にして脚部の過剰な変形、破損を防ぐことができる。
また抑止壁を設けて脚部に外側に拡開する無用な力が加えられた場合の損傷を防げるようにしている。
【図面の簡単な説明】
【００１４】
【図１】本発明にかかるバックルの雄部材の一例を示す正面図である。
【図２】図１に示す雄部材の側面図である。
【図３】図１に示す雄部材の底面図である。
【図４】本発明にかかるバックルの雌部材の一例を示す正面図である。
【図５】図４に示す雌部材の側面図である。
【図６】図４に示す雌部材の平面図である。
【図７】本発明にかかるバックルの係合状態を示す縦断面図である。
【図８】本発明にかかるバックルの係合状態を示すＡ−Ａ線断面図である。
【発明を実施するための形態】
【００１５】  以下本発明の実施形態について図面を参照しながら説明する。
なお本発明のバックルの各構成については、以下の実施例に限定されるものではなく、使用状況によって適宜変更することができる。また本発明のバックルは弾性部材を利用した金属またはプラスチック等の合成樹脂材を用いている。
【００１６】  図１は本発明にかかるバックルの雄部材の一例を示す正面図。図２は側面図。図３は底面図である。雄部材１０は雌部材２０と結合した際に雌部材２０の筒体２１の側に位置する基部１１から挿入方向に沿って雌部材２０に対向する方向に突出する一対の脚部１３と、脚部１３には図１、図２、図３、図７、図８に示すようにアーム１４の部分を板状にした脚部１３の端部には、外向きに突出して設けられた一対の係止部１５と、係止部１５の外側に連結するように形成される一対の押圧部１０と、雌部材２０に設けられた仕切壁２９を間にして係止部１５を係合孔２８に安定して案内するガイド片１７が斜内側方向に突出して設けられている。
また脚部１３に外側に拡開する無用な力が加えられた場合の損傷を防ぐためアーム１４の外側に沿って突出する一対の抑止壁１８をアームの外側に配置している。
図４は本発明にかかるバックルの雌部材の一例を示す正面図。図５は側面図。図６は平面図である。
雌部材２０は中空の扁平状を形成する筒体２１であって図４に示すように側壁２３には挿入端部側から挿入部２６、ガイド溝２７、係合孔２８がそれぞれ一対設けられている。
また雌部２０の向かい合う側壁２３の中間には図４、図６、図７に示すように向き合った上壁４の内側と下壁２５の内側に亘る仕切壁２９が設けられている。
【００１７】  次に本実施の形態の作用について説明すると、雄部材１０と孔１２に雌部材２０の孔にベルトの端部が取り付けられ筒体２１に設けられた仕切壁２９を間にしてガイド片１７に案内された脚部１３が挿入部２６を経てガイド溝２７の内壁面に接しながら付勢力をもって進入し係止部１５が係合孔２８に弾発的に係合し同時に仕切壁２９の先端部３０が凹部１９に嵌合し係合状態となる。（図７及び図８参照）また係合状態を解除するには押圧部１６を指先で押し込みながら雄部材１０と雌部材２０を離反させることによって容易に安全に解除できる。
以上により本発明にかかるバックルによれば簡単な構造であって操作性と安全性にも優れデザイン的にも自由度が高く製造コストの低減にも寄与するものである。
【符号の説明】
【００１８】      １０．雄部材
１１．基部
１２．孔
１３．脚部
１４．アーム
１５．係止部
１６．押圧部
１７．ガイド片
１８．抑止壁
１９．凹部
２０．雌部材
２１．筒体
２２．孔
２３．側壁
２４．上壁
２５．下壁
２６．挿入部
２７．ガイド溝
２８．係合孔
２９．仕切壁
３０．先端部
Ａ−Ａ．断面の位置
Ｈ．係止幅
ｔ．側壁の厚さ
【図１】
2018029932.tif 000003
【図２】
2018029932.tif 000004
【図３】
2018029932.tif 000005
【図４】
2018029932.tif 000006
【図５】
2018029932.tif 000007
【図６】
2018029932.tif 000008
【図７】
2018029932.tif 000009
【図８】
2018029932.tif 000010